(57)【要約】  本発明は、液晶駆動回路、バックライト回路、端末、装置及び方法を提供し、ディスプレイ技術の分野に属する。本発明は、ウィンドウディスプレイモードの下で、スキャン駆動チップを介して、スキャン電圧の出力開始位置及び出力回数を制御し、ウィンドウ領域と交差しないデータラインに対応するデータラインスイッチをオフ状態に設定し、ウィンドウ領域のサイズに対応するディスプレイ内容を生成し、データ駆動チップを介して、ウィンドウ領域と交差するそれぞれのデータラインにディスプレイ内容に対応する階調電圧を伝送し、バックライト回路を介して、照明位置がウィンドウ領域と交差するバックライトを発光するように制御して、ウィンドウディスプレイモードの下で、非ウィンドウ領域のデータライン、スキャンライン、及びバックライトがすべて動作状態になることによる電力消耗の問題を解決し、ウィンドウディスプレイモードの下で、ウィンドウ領域に対応するデータライン、スキャンライン、及びバックライトのみを動作状態になるようにして消費電力を低減する効果に達成する。【選択図】図２Ａ
2017530427.tif 000002
【特許請求の範囲】
【請求項１】
スキャン駆動チップ、行に沿って分布するｍ個のスキャンライン、データ駆動チップ、列に沿って分布するｎ個のデータライン、行及び列に沿って分布するｍ ＊ ｎ個の液晶ユニット、及び少なくとも１つのデータラインスイッチを備える液晶駆動回路において、
前記スキャン駆動チップは、前記スキャンラインに一対一対応して接続するｍ個のスキャンピンを備え、
それぞれの前記スキャンラインは、対応する行の前記液晶ユニットのゲート電極に接続し、
前記データ駆動チップは、前記データラインに一対一対応して接続するｎ個のデータピンを備え、
それぞれの前記データラインは、対応する列の前記液晶ユニットのドレイン電極に接続し、
少なくとも１つの前記データライン、及び対応する前記データピンの間に、前記データラインスイッチが設置されることを特徴とする液晶駆動回路。
【請求項２】
前記データラインスイッチはｎ個であり、それぞれの前記データライン、及び対応する前記データピンの間のすべてに前記データラインスイッチが設置されることを特徴とする請求項１に記載の液晶駆動回路。
【請求項３】
第１の条件に合致する前記データライン、及び対応する前記データピンの間に前記データラインスイッチが設置され、
前記第１の条件は、前記データラインの所在の列がウィンドウ領域と交差しないことである、ことを特徴とする請求項１に記載の液晶駆動回路。
【請求項４】
液晶ディスプレイスクリーンの行ボーダー（ｂｏｒｄｅｒ）領域に分布する複数の行バックライト、及び前記液晶ディスプレイスクリーンの列ボーダー（ｂｏｒｄｅｒ）領域に分布する複数の列バックライトを備えるバックライト回路において、
少なくとも２つの前記行バックライトが直列接続を介して行バックライトストリング（ｓｔｒｉｎｇ）を形成し、
及び/又は、
少なくとも２つの列バックライトが直列接続を介して列バックライトストリング（ｓｔｒｉｎｇ）を形成することを特徴とするバックライト回路。
【請求項５】
第２の条件に合致する少なくとも２つの前記行バックライトが直列接続を介して行バックライトストリングを形成し、
前記第２の条件は、少なくとも２つの行バックライトの列方向での照明位置がウィンドウ領域とすべて交差され、又は前記ウィンドウ領域とすべて交差されないことを特徴とする請求項４に記載のバックライト回路。
【請求項６】
第３の条件に合致する少なくとも２つの列バックライトが直列接続を介して列バックライトストリングを形成し、
前記第３の条件は、少なくとも２つの列バックライトの行方向での照明位置がウィンドウ領域とすべて交差され、又は前記ウィンドウ領域とすべて交差されないことを特徴とする請求項４に記載のバックライト回路。
【請求項７】
ディスプレイ駆動ＩＣと、前記ディスプレイ駆動ＩＣに接続する請求項１乃至請求項３のいずれか１項に記載の液晶駆動回路を備え、
及び/又は
バックライトと、前記バックライトに接続する請求項４乃至請求項６のいずれか１項に記載のバックライト回路を備えることを特徴とする端末。
【請求項８】
請求項１乃至請求項３のいずれか１項に記載の液晶駆動回路を備える端末に適用されるディスプレイ方法において、
ウィンドウディスプレイモードの下で、前記スキャン駆動チップを介して、ウィンドウ領域と交差する前記スキャンラインにスキャン電圧を伝送するステップと、
前記ウィンドウ領域と交差しない前記データラインに対応する前記データラインスイッチをオフ状態に設定するステップと、
前記データ駆動チップを介して、前記ウィンドウ領域と交差する前記データラインに階調電圧を伝送するステップと、を含むことを特徴とするディスプレイ方法。
【請求項９】
前記スキャン駆動チップを介して、ウィンドウ領域と交差する前記スキャンラインにスキャン電圧を伝送するステップは、
前記スキャン駆動チップを介して、前記スキャン電圧の出力開始位置及び出力回数を制御するステップを含み、
前記出力開始位置は、上から下への順序で前記ウィンドウ領域と交差する第１のスキャンラインに対応するスキャンピンであり、前記出力回数は、前記ウィンドウ領域と交差する前記スキャンラインの本数と同じであることを特徴とする請求項８に記載のディスプレイ方法。
【請求項１０】
前記データ駆動チップを介して、前記ウィンドウ領域と交差する前記データラインに階調電圧を伝送するステップは、
前記ウィンドウ領域のサイズに対応するディスプレイ内容を生成するステップと、
前記データ駆動チップを介して、前記ウィンドウ領域と交差するそれぞれの前記データラインに、前記ディスプレイ内容に対応する階調電圧を伝送するステップと、を含むことを特徴とする請求項８又は請求項９に記載のディスプレイ方法。
【請求項１１】
請求項４乃至請求項６のいずれか１項に記載のバックライト回路を備える端末に適用されるディスプレイ方法において、
ウィンドウディスプレイモードの下で、照明位置がウィンドウ領域と交差する前記バックライトを発光するように制御するステップと、
照明位置が前記ウィンドウ領域と交差しない前記バックライトをオフ状態になるように制御するステップと、を含み、
前記バックライトは、別途のバックライト、及び/又は、前記行バックライトストリング中のバックライト、及び/又は、列バックライトストリング中のバックライトであることを特徴とするディスプレイ方法。
【請求項１２】
前記照明位置がウィンドウ領域と交差する前記バックライトを発光するように制御するステップは、
前記ウィンドウ領域の位置情報を取得するステップと、
それぞれの前記バックライトの位置情報を取得するステップと、
前記ウィンドウ領域の位置情報及びそれぞれの前記バックライトの位置情報によって、前記ウィンドウ領域と交差する前記バックライトを発光するように制御するステップと、を含むことを特徴とする請求項１１に記載のディスプレイ方法。
【請求項１３】
請求項１乃至請求項３のいずれか１項に記載の液晶駆動回路を備える端末に適用されるディスプレイ装置において、
ウィンドウディスプレイモードの下で、前記スキャン駆動チップを介して、ウィンドウ領域と交差する前記スキャンラインにスキャン電圧を伝送するように構成されるスキャンモジュールと、
前記ウィンドウ領域と交差しない前記データラインに対応する前記データラインスイッチをオフ状態に設定するように構成される設定モジュールと、
前記データ駆動チップを介して、前記ウィンドウ領域と交差する前記データラインに階調電圧を伝送するように構成される伝送モジュールと、を備えることを特徴とするディスプレイ装置。
【請求項１４】
前記スキャン駆動チップを介して、ウィンドウ領域と交差する前記スキャンラインにスキャン電圧を伝送することは、
前記スキャン駆動チップを介して、前記スキャン電圧の出力開始位置及び出力回数を制御するように構成される前記スキャンモジュールを備え、
前記出力開始位置は、上から下への順序で前記ウィンドウ領域と交差する第１のスキャンラインに対応するスキャンピンであり、前記出力回数は、前記ウィンドウ領域と交差する前記スキャンラインの本数と同じであることを特徴とする請求項１３に記載のディスプレイ装置。
【請求項１５】
前記データ駆動チップを介して、ウィンドウ領域と交差する前記データラインに階調電圧を伝送することは、
前記ウィンドウ領域のサイズに対応するディスプレイ内容を生成し、
前記データ駆動チップを介して、前記ウィンドウ領域と交差するそれぞれの前記データラインに、前記ディスプレイ内容に対応する階調電圧を伝送することを含むことを特徴とする請求項１３又は請求項１４に記載のディスプレイ装置。
【請求項１６】
請求項４乃至請求項６のいずれか１項に記載のバックライト回路を備える端末に適用されるディスプレイ装置において、
ウィンドウディスプレイモードの下で、照明位置がウィンドウ領域と交差する前記バックライトを発光するように制御する第１の制御モジュールと、
照明位置が前記ウィンドウ領域と交差しないバックライトをオフ状態になるように制御する第２の制御モジュールと、を備え、
前記バックライトは、別途のバックライト、及び/又は、前記行バックライトストリング中のバックライト、及び/又は、列バックライトストリング中のバックライトであることを特徴とするディスプレイ装置。
【請求項１７】
前記第１の制御モジュールは、
前記ウィンドウ領域の位置情報を取得するように構成される第１の取得サブモジュールと、
それぞれの前記バックライトの位置情報を取得するように構成される第２の取得サブモジュールと、
前記ウィンドウ領域の位置情報及びそれぞれの前記バックライトの位置情報によって、前記ウィンドウ領域と交差する前記バックライトを発光するように制御する発光制御サブモジュールと、を備えることを特徴とする請求項１６に記載のディスプレイ装置。
【発明の詳細な説明】
【相互参照】
【０００１】
本願は、出願番号がＣＮ ２０１５１０４９８５４１.６であって、出願日が２０１５年０８月１３日である中国特許出願に基づき優先権を主張し、当該中国特許出願の内容の全てを本願に援用する。
【技術分野】
【０００２】
本発明は、ディスプレイ技術の分野に関し、更に詳細には、液晶駆動回路、バックライト回路、端末、装置及び方法に関する。
【背景技術】
【０００３】
現在、モバイル端末は、ますます大きな液晶ディスプレイスクリーンを備えている。
【０００４】
面積が大きい液晶ディスプレイスクリーンは、比較的に電気エネルギーを消耗するため、関連技術は、ウィンドウ（ｗｉｎｄｏｗ）ディスプレイモードを提供している。当該ウィンドウディスプレイモードの下で、液晶ディスプレイ画面は、ディスプレイ領域の全部で情報をディスプレイせず、単に所定のウィンドウ領域のみに情報をディスプレイする。当該ウィンドウ領域は、通常、１つの比較的小さな矩形の領域である。液晶ディスプレイスクリーンは、当該ウィンドウ領域以外の他の領域に黒色をディスプレイすることによって消費電力を減少する。
【発明の概要】
【発明が解決しようとする課題】
【０００５】
本発明は、ウィンドウディスプレイモードの下で、非ウィンドウ領域のデータライン及びスキャンラインがすべて動作状態にあるとともに、非ウィンドウ領域のバックライトも発光状態にあることによる、電気エネルギー消耗の問題を解決するために、液晶駆動回路、バックライト回路、端末、装置及び方法を提供する。
【課題を解決するための手段】
【０００６】
関連技術案は下記の通りである。
【０００７】
本発明の第１の態様によれば、液晶駆動回路が提供され、当該液晶駆動回路は、スキャン駆動チップ、行に沿って分布するｍ個のスキャンライン、データ駆動チップ、列に沿って分布するｎ個のデータライン、行及び列に沿って分布するｍ ＊ ｎ個の液晶ユニット、及び少なくとも１つのデータラインスイッチを備え、
スキャン駆動チップは、スキャンラインに一対一対応して接続するｍ個のスキャンピンを備え、
それぞれのスキャンラインは、対応する行の液晶ユニットのゲート電極に接続し、
データ駆動チップは、データラインに一対一対応して接続するｎ個のデータピンを備え、
それぞれのデータラインは、対応する列の液晶ユニットのドレイン電極に接続し、
少なくとも１つのデータライン、及び対応するデータピンの間にデータラインスイッチが設置される。
【０００８】
１つの選択可能な実施例では、データラインスイッチはｎ個であり、それぞれのデータライン、及び対応するデータピンの間のすべてにデータラインスイッチが設置される。
【０００９】
１つの選択可能な実施例では、第１の条件に合致するデータライン、及び対応するデータピンの間にデータラインスイッチが設置され、
ここで、第１の条件は、データラインの所在の列がウィンドウ領域と交差しないことである。
【００１０】
本発明の第２の態様によれば、バックライト回路が提供され、当該バックライト回路は、液晶ディスプレイスクリーンの行ボーダー（ｂｏｒｄｅｒ）領域に分布する複数の行バックライト、及び液晶ディスプレイスクリーンの列ボーダー（ｂｏｒｄｅｒ）領域に分布する複数の列バックライトを備え、
少なくとも２つの行バックライトが直列接続を介して行バックライトストリング（ｓｔｒｉｎｇ）を形成し、
及び／又は、
少なくとも２つの列バックライトが直列接続を介して列バックライトストリング（ｓｔｒｉｎｇ）を形成する。
【００１１】
１つの選択可能な実施例では、第２の条件に合致する少なくとも２つの行バックライトが直列接続を介して行バックライトストリングを形成し、
ここで、第２の条件は、少なくとも２つの行バックライトの列方向での照明位置がウィンドウ領域とすべて交差され、又はウィンドウ領域とすべて交差されない。
【００１２】
１つの選択可能な実施例では、第３の条件に合致する少なくとも２つの列バックライトが直列接続を介して列バックライトストリングを形成し、
ここで、第３の条件は、少なくとも２つの列バックライトの行方向での照明位置がウィンドウ領域とすべて交差され、又はウィンドウ領域とすべて交差されない。
【００１３】
本発明の第３の態様によれば、端末が提供され、当該端末は、
ディスプレイ駆動ＩＣと、ディスプレイ駆動ＩＣに接続する第１の態様に係る液晶駆動回路を備え、
及び/又は、
バックライトと、バックライトに接続する第２の態様に係るバックライト回路を備える。
【００１４】
本発明の第４の態様によれば、ディスプレイ方法が提供され、第３の態様に係る端末に適用され、当該方法は、
ウィンドウディスプレイモードの下で、スキャン駆動チップを介して、ウィンドウ領域と交差するスキャンラインにスキャン電圧を伝送するステップと、
ウィンドウ領域と交差しないデータラインに対応するデータラインスイッチをオフ状態に設定するステップと、
データ駆動チップを介して、ウィンドウ領域と交差するデータラインに階調電圧を伝送するステップと、を含む。
【００１５】
１つの選択可能な実施例では、スキャン駆動チップを介して、ウィンドウ領域と交差するスキャンラインにスキャン電圧を伝送するステップは、
スキャン駆動チップを介して、スキャン電圧の出力開始位置及び出力回数を制御するステップを含み、
ここで、出力開始位置は、上から下への順序でウィンドウ領域と交差する第１のスキャンラインに対応するスキャンピンであり、出力回数は、ウィンドウ領域と交差するスキャンラインの本数と同じである。
【００１６】
１つの選択可能な実施例では、データ駆動チップを介して、ウィンドウ領域と交差するデータラインに階調電圧を伝送するステップは、
ウィンドウ領域のサイズに対応するディスプレイ内容を生成するステップと、
データ駆動チップを介して、ウィンドウ領域と交差するそれぞれのデータラインに、ディスプレイ内容に対応する階調電圧を伝送するステップと、を含む。
【００１７】
本発明の第５の態様によれば、ディスプレイ方法が提供され、第３の態様に係る端末に適用され、当該方法は、
ウィンドウディスプレイモードの下で、照明位置がウィンドウ領域と交差するバックライトを発光するように制御するステップと、
照明位置がウィンドウ領域と交差しないバックライトをオフ状態になるように制御するステップと、を含み、
ここで、バックライトは、別途のバックライト、及び/又は、行バックライトストリング中のバックライト、及び/又は、列バックライトストリング中のバックライトである。
【００１８】
１つの選択可能な実施例では、照明位置がウィンドウ領域と交差するバックライトを発光するように制御するステップは、
ウィンドウ領域の位置情報を取得するステップと、
それぞれのバックライトの位置情報を取得するステップと、
ウィンドウ領域の位置情報及びそれぞれのバックライトの位置情報によって、ウィンドウ領域と交差するバックライトを発光するように制御するステップと、を含む。
【００１９】
本発明の第６の態様によれば、ディスプレイ装置が提供され、第３の態様に係る端末に適用され、当該装置は、
ウィンドウディスプレイモードの下で、スキャン駆動チップを介して、ウィンドウ領域と交差するスキャンラインにスキャン電圧を伝送するように構成されるスキャンモジュールと、
ウィンドウ領域と交差しないデータラインに対応するデータラインスイッチをオフ状態に設定するように構成される設定モジュールと、
データ駆動チップを介して、ウィンドウ領域と交差するデータラインに階調電圧を伝送するように構成される伝送モジュールと、を備える。
【００２０】
１つの選択可能な実施例では、スキャン駆動チップを介して、ウィンドウ領域と交差するスキャンラインにスキャン電圧を伝送することは、
スキャン駆動チップを介して、スキャン電圧の出力開始位置及び出力回数を制御するように構成されるスキャンモジュールを備え、
ここで、出力開始位置は、上から下への順序でウィンドウ領域と交差する第１のスキャンラインに対応するスキャンピンであり、出力回数は、ウィンドウ領域と交差するスキャンラインの本数と同じである。
【００２１】
１つの選択可能な実施例では、データ駆動チップを介して、ウィンドウ領域と交差するデータラインに階調電圧を伝送することは、
ウィンドウ領域のサイズに対応するディスプレイ内容を生成し、
データ駆動チップを介して、ウィンドウ領域と交差するそれぞれのデータラインに、ディスプレイ内容に対応する階調電圧を伝送することを含む。
【００２２】
本発明の第７の態様によれば、ディスプレイ装置が提供され、第３の態様に係る端末に適用され、当該装置は、
ウィンドウディスプレイモードの下で、照明位置がウィンドウ領域と交差するバックライトを発光するように制御する第１の制御モジュールと、
照明位置がウィンドウ領域と交差しないバックライトをオフ状態になるように制御する第２の制御モジュールと、を備え、
ここで、バックライトは、別途のバックライト、及び/又は、行バックライトストリング中のバックライト、及び/又は、列バックライトストリング中のバックライトである。
【００２３】
１つの選択可能な実施例では、照明位置がウィンドウ領域と交差するバックライトを発光するように制御することは、
ウィンドウ領域の位置情報を取得し、
それぞれのバックライトの位置情報を取得し、
ウィンドウ領域の位置情報及びそれぞれのバックライトの位置情報によって、ウィンドウ領域と交差するバックライトを発光するように制御することを含む。
【発明の効果】
【００２４】
本発明が提供した技術的案によれば、以下のような有益な効果を奏する。即ち、
液晶駆動回路が提供され、当該液晶駆動回路中のデータライン及びデータ駆動チップの間にデータラインスイッチが設置され、ウィンドウディスプレイモードの下で、ウィンドウ領域と交差領域が存在しないデータラインをオフにし、ウィンドウ領域と交差領域が存在するスキャンラインにのみに対してスキャンして、背景技術におけるウィンドウディスプレイモードの下で、少なくとも１つの前記データライン、及び対応するデータピンの間に、前記データラインスイッチが設置される問題を解決した。
【００２５】
なお、以上の一般的な記述及び後文の詳細な記述は、単に例示的なものであり、本発明を限定しようとするものではない。
【図面の簡単な説明】
【００２６】
以下の図面は、明細書に組み入れて本明細書の一部分を構成し、本発明に該当する実施例を例示するとともに、明細書とともに本発明の原理を解釈する。
【図１】背景技術が提供する液晶駆動回路の構造を示す説明図である。
【図２Ａ】本発明の一例示的な実施例に係る液晶駆動回路の構造を示す説明図である。
【図２Ｂ】本発明の他の一例示的な実施例に係る液晶駆動回路の構造を示す説明図である。
【図３】本発明の一例示的な実施例に係る端末の構造を示す説明図である。
【図４】本発明の一例示的な実施例に係るディスプレイ方法を示すフローチャートである。
【図５】本発明の他の一例示的な実施例に係るディスプレイ方法を示すフローチャートである。
【図６Ａ】一例示的な実施例に係るバックライト回路の構造を示す説明図である。
【図６Ｂ】他の一例示的な実施例に係るバックライト回路の構造を示す説明図である。
【図６Ｃ】また他の一例示的な実施形態によるバックライト回路の構造を示す説明図である。
【図７】本発明の一例示的な実施例に係る端末の構造を示す説明図である。
【図８】本発明の一例示的な実施例に係るディスプレイ方法を示すフローチャートである。
【図９】本発明の一例示的な実施例に係るディスプレイ方法を示すフローチャートである。
【図１０】一例示的な実施例に係るディスプレイ装置を示すブロック図である。
【図１１】一例示的な実施例に係るディスプレイ装置を示すブロック図である。
【図１２】本発明の一例示的な実施例に係るディスプレイ装置を示すブロック図である。
【図１３】本発明の一例示的な実施例に係るディスプレイ装置を示すブロック図である。
【発明を実施するための形態】
【００２７】
以下、例示的な実施例を詳しく説明し、その例示を図面に示している。以下の記載において、図面に関わる場合は、特に言明する場合以外に、異なる図面における同じ数字が同じ又は類似する要素を示す。下記の例示的な実施例に記載の実施例は、本発明と一致する全ての実施例を代表するというわけではない。それらは、特許請求の範囲に記載の本発明のある方面に一致する装置及び方法の例に過ぎない。
【００２８】
図１は、背景技術が提供する液晶駆動回路の構造を示す説明図である。図１に示すように、当該液晶駆動回路は、ｍ ＊ ｎ個の液晶ユニット１、スキャン駆動チップ２、ｍ個のスキャンライン２１、データ駆動チップ３、及びｎ個のデータライン３１を備える。
【００２９】
液晶ユニット１は、ｍ行ｎ列にアレイ配列される。それぞれの液晶ユニット１は、液晶画素電極１１及びＴＦＴ（Ｔｈｉｎ Ｆｉｌｍ Ｔｒａｎｓｉｓｔｏｒ、薄膜トランジスタ）スイッチ素子を備える。 ＴＦＴスイッチ素子は、ソース電極１２、ゲート電極１３、及びドレイン電極１４を備える。液晶画素電極１１は、ＴＦＴスイッチ素子中のソース電極１２に接続する。液晶画素電極１１は、赤色液晶画素電極Ｒ、緑色液晶画素電極Ｇ又は青色画素電極Ｂであってもよい。
【００３０】
スキャン駆動チップ２は、ｍ個のスキャンピンを備え、それぞれのスキャンピンは１つのスキャンピン２１に接続する。各行の液晶ユニット１は、１つのスキャンライン２１に対応し、スキャンライン２１は、対応する１行の液晶ユニット１中のゲート電極１３に接続する。
【００３１】
データ駆動チップ３は、ｎ個のデータピンを備え、それぞれのデータピンは、１つのデータライン３１に接続する。各列の液晶ユニット１は、１つのデータライン３１に対応し、データライン３１は、対応する１列の液晶ユニット１中のドレイン電極１４に接続する。
【００３２】
液晶駆動回路が動作するとき、１フレーム画像に対して、スキャン駆動チップ２は順次にスキャンライン２１にスキャン信号を伝送して、スキャン信号を受信したスキャンライン２１が対応する１行の液晶ユニットを動作状態に設定する。同時に、データ駆動チップ３は、当該行の液晶ユニットに対応する画素の階調電圧を、データライン３１を介して対応するドレイン電極１３に伝送して、データ駆動チップ３が対応する階調電圧を液晶画素電極１１に記憶させて、それぞれの液晶画素電極１１が相応のレベルの階調をディスプレイすようにし、従って、１フレーム画像のディスプレイを実現する。
【００３３】
図１に示される液晶駆動回路は、ウィンドウディスプレイモードの下で、ウィンドウ領域に目標内容をディスプレイさせ、非ウィンドウ領域に黒色をディスプレイさせる。ウィンドウ領域は、液晶ディスプレイスクリーン中の目標内容をディスプレイする必要がある一部の領域を指し、ウィンドウ領域は液晶ディスプレイスクリーンの全体ディスプレイ領域よりも小さく、ウィンドウ領域は通常矩形状である。目標内容は、システム時間、メッセージ通知などであってもよい。
【００３４】
しかし、液晶駆動回路である場合、ウィンドウディスプレイモードの下で、すべてのデータライン２及びスキャンライン３が通常の動作状態にあり、ただ、非ウィンドウ領域のみを黒色にディスプレイさせ、液晶ディスプレイ装置の消費電力がまだ大きい。
【００３５】
図２Ａ及び図２Ｂは、一例示的な実施例に係る液晶駆動回路の構造を示す説明図である。図２Ａに示すように、当該液晶駆動回路は、行及び列に沿って分布するｍ ＊ ｎ個の液晶ユニット１、スキャン駆動チップ２、行に沿って分布するｍ個のスキャンライン２１、データ駆動チップ３、列に沿って分布するｎ個のデータライン３１、及び少なくとも１つのデータラインスイッチ４を備える。
【００３６】
液晶ユニット１は、ｍ行ｎ列にアレイ配列される。それぞれの液晶ユニット１は、液晶画素電極１１及びＴＦＴスイッチ素子を備える。 ＴＦＴスイッチ素子は、ソース電極１２、ゲート電極１３及びドレイン電極１４を備える。液晶画素電極１１は、ＴＦＴスイッチ素子中のソース電極１２に接続する。液晶画素電極１１は、赤色液晶画素電極Ｒ、緑色液晶画素電極Ｇ又は青色画素電極Ｂであってもよい。
【００３７】
スキャン駆動チップ２は、ｍ個のスキャンピンを備え、スキャンピンは１つのスキャンライン２１に一対一対応して接続する。各行の液晶ユニット１は、１つのスキャンライン２１に対応し、それぞれのスキャンライン２１は、対応する行の液晶ユニット１のゲート電極１３に接続する。
【００３８】
データ駆動チップ３は、ｎ個のデータピンを備え、データピンはデータピン１３に一対一対応して接続する。各列の液晶ユニット１は、１つのデータライン３１に対応し、それぞれのデータライン３１は、対応する列の液晶ユニット１中のドレイン電極１４に接続する。
【００３９】
少なくとも１つのデータライン３１と対応するデータピンとの間に、データラインスイッチ４が設置される。
【００４０】
図２Ａに示される実施例では、データラインスイッチ４はｎ個であり、それぞれのデータライン３１とデータ駆動チップ３のデータピンとの間のすべてに、データラインスイッチ４が設置される。データラインスイッチ４は、制御端（図示せず）をさらに備える。好ましくは、それぞれのデータラインスイッチ４は、受信される制御信号によってオンされたり、オフされたりする。データラインスイッチ４がオンされると、対応するデータライン３１が作動状態になり、データ駆動チップ３の階調電圧を受信することができる。データラインスイッチ４がオフされると、対応するデータライン３１が非動作状態になり、データ駆動チップ３の階調電圧を受信することができない。
【００４１】
図２Ｂに示された実施例では、第１の条件に合致するデータライン３１と対応するデータピンとの間のみに、データラインスイッチ４が設置される。ここで、第１の条件は、データライン３１の列がウィンドウ領域との交差が存在しないことである。
【００４２】
ｎ＝５である場合を例にし、ウィンドウ領域（図示せず）と中間の３つのデータラインが交差するとする。即ち、ウィンドウ領域は、左から右への第２のデータライン、第３データライン、第４のデータラインと交差すると、第１データラインとデータ駆動チップ３のデータピンとの間にデータラインスイッチ４が設置され、第５のデータラインとデータ駆動チップ３のデータピンとの間にデータラインスイッチ４が設置される。
【００４３】
図３は、一例示的な実施例に係る端末の構造を示す説明図である。当該端末は、ＤＤＩＣ（Ｄｉｓｐｌａｙ Ｄｒｉｖｅｒ Ｉｎｔｅｇｒａｔｅｄ Ｃｉｒｃｕｉｔ、ディスプレイ駆動ＩＣ）３２０及び液晶駆動回路３４０を備える。
【００４４】
前記液晶駆動回路３４０は、図２Ａ又は図２Ｂに示される液晶駆動回路である。
【００４５】
前記ＤＤＩＣ３２０は、液晶駆動回路３４０中のスキャン駆動チップ、データ駆動チップ及びデータラインスイッチにそれぞれ電気的に接続する。
【００４６】
図４は、一例示的な実施例に係るディスプレイ方法を示すフローチャートである。本実施例では、当該ディスプレイ方法が図３に示される液晶駆動回路を備える端末に適用される場合を例に挙げて説明する。前記方法は、
ステップ４０１：ウィンドウディスプレイモードの下で、スキャン駆動チップを介して、ウィンドウ領域と交差するスキャンラインにスキャン電圧を伝送する。
【００４７】
ウィンドウディスプレイモードの下で、ＤＤＩＣはスキャン駆動チップを介して、ウィンドウ領域と交差するスキャンラインにスキャン電圧を伝送する。ウィンドウ領域は、液晶ディスプレイスクリーン中の目標内容をディスプレイする必要がある一部の領域であり、ウィンドウ領域は、液晶ディスプレイスクリーンの全体ディスプレイ領域よりも小さく、ウィンドウ領域は通常矩形状である。目標内容は、システム時間、メッセージ通知などであってもよい。
【００４８】
ステップ４０２：ウィンドウ領域と交差しないデータラインに対応するデータラインスイッチをオフ状態に設定する。
【００４９】
ウィンドウ領域と交差しないデータラインは動作する必要がないため、ＤＤＩＣは、ウィンドウ領域と交差しないデータラインに対応するデータラインスイッチをオフ状態に設定する。
【００５０】
ステップ４０３：データ駆動チップを介して、ウィンドウ領域と交差するデータラインに階調電圧を伝送する。
【００５１】
１つのスキャンラインがスキャンされる状態にあれば、当該行のスキャンラインに対応する１行の液晶ユニットに対して、ＤＤＩＣは同時にディスプレイ待機中の内容によって、それぞれのデータラインに対応する階調電圧を生成するとともに、データ駆動チップを介して、ウィンドウ領域と交差するデータラインに階調電圧を伝送して、この１行のディスプレイ内容がディスプレイされるようにする。
【００５２】
ＤＤＩＣは、各行のスキャンラインを１回スキャンすることで、１フレームのディスプレイ内容をディスプレイさせる。
【００５３】
なお、本実施例では、ステップ４０２、ステップ４０１、４０３の実行前後関係を限定しない。
【００５４】
上述を纏めると、本実施例が提供するディスプレイ方法は、ウィンドウディスプレイモードの下で、スキャン駆動チップを介して、ウィンドウ領域と交差するスキャンラインにスキャン電圧を伝送し、ウィンドウ領域と交差しないデータラインに対応するデータラインスイッチをオフ状態に設定し、データ駆動チップを介して、ウィンドウ領域と交差するデータラインに階調電圧を伝送して、ウィンドウディスプレイモードの下で、非ウィンドウ領域のスキャンライン及びデータラインがまだ動作状態にあることに起因する電力消耗の問題を解決し、ウィンドウディスプレイモードの下で、ウィンドウ領域と交差するスキャンライン及びデータラインのみを動作状態になるようにして、消費電力を低減させる効果に達成する。
【００５５】
図５は、一例示的な実施例に係るディスプレイ方法を示すフローチャートである。本実施例では、当該ディスプレイ方法が図３に示される液晶駆動回路を備える端末に適用される場合を例に挙げて説明する。前記方法は、
ステップ５０１：ウィンドウディスプレイモードの下で、ウィンドウ領域のサイズに対応するディスプレイ内容を生成する。
【００５６】
ウィンドウディスプレイモードの下で、ＤＤＩＣはウィンドウ領域のサイズに対応するディスプレイ内容だけを生成すればよい。例えば、ウィンドウ領域のサイズが３２０画素＊ ２４０画素であれば、３２０画素＊ ２４０画素に対応するディスプレイ内容だけを生成すればよい。
【００５７】
ステップ５０２：スキャン駆動チップを介して、ウィンドウ領域と交差するスキャンラインにスキャン電圧を伝送する。
【００５８】
ウィンドウディスプレイモードの下で、ＤＤＩＣはウィンドウ領域の位置を読み取り、ウィンドウ領域の位置によって、ウィンドウ領域と交差するスキャンラインを検出し、スキャン駆動チップを介して、ウィンドウ領域と交差するスキャンラインにスキャン電圧を伝送する。
【００５９】
例えば、スキャン駆動チップに上から下へ１０個のスキャンラインが存在する場合、ウィンドウ領域は、第２行から第５行まで位置するとすれば、スキャン駆動チップを介して、第２から第５のスキャンラインまでスキャン電圧を伝送すればよい。
【００６０】
好ましくは、ＤＤＩＣはスキャン駆動チップを介してスキャン電圧の出力開始位置及び出力回数を制御する。
【００６１】
ここで、出力開始位置は、上から下への順序でウィンドウ領域と交差する第１のスキャンラインに対応するスキャンピンであり、出力回数は、ウィンドウ領域と交差するスキャンラインの本数と同じである。
【００６２】
出力開始位置は、ウィンドウ領域の最先端が所在するスキャンラインであり、出力回数は、ウィンドウ領域が占用するスキャンラインの本数である。
【００６３】
例えば、スキャン駆動チップに上から下へ１０個のスキャンラインが存在する場合、ウィンドウ領域が第２行から第５行まで位置するとすれば、出力開始位置は、第２のスキャンラインであり、出力回数は３回である。
【００６４】
ステップ５０３：ウィンドウ領域と交差しないデータラインに対応するデータラインスイッチをオフ状態に設定する。
【００６５】
ウィンドウ領域と交差しないデータラインは、ウィンドウ領域の列方向で占用されないデータラインであり、オフ状態に設定することは、データラインが開回路状態になることを意味する。
【００６６】
例えば、データ駆動チップに左から右へ１０個のデータラインが存在する場合、ウィンドウ領域が左から右への第３列から第６列までに位置するとすれば、ウィンドウ領域と交差しないデータラインは左から右への第１、第２、第７乃至第１０のデータラインであり、それらのデータラインに対応するデータラインスイッチをオフ状態に設定する。
【００６７】
ステップ５０４：データ駆動チップを介して、ウィンドウ領域と交差するデータラインに階調電圧を伝送する。
【００６８】
１つのスキャンラインがスキャンされる状態にあれば、当該行のスキャンラインに対応する１行の液晶ユニットに対して、ＤＤＩＣは同時にディスプレイ待機中の内容によって、それぞれのデータラインに対応する階調電圧を生成するとともに、データ駆動チップを介して、ウィンドウ領域と交差するデータラインに階調電圧を伝送して、当該１行のディスプレイ内容をディスプレイするようにする。
【００６９】
ＤＤＩＣは、各行のスキャンラインを１回スキャンすることで、１フレームのディスプレイ内容をディスプレイさせる。
【００７０】
なお、本実施例では,ステップ５０３と、ステップ５０２、ステップ５０４の実行前後関係を限定しない。
【００７１】
上述を纏めると、本実施例が提供するディスプレイ方法は、ウィンドウディスプレイモードの下で、スキャン駆動チップを介して、ウィンドウ領域と交差するスキャンラインにスキャン電圧を伝送し、ウィンドウ領域と交差しないデータラインに対応するデータラインスイッチをオフ状態に設定し、データ駆動チップを介して、ウィンドウ領域と交差するデータラインに階調電圧を伝送して、ウィンドウディスプレイモードの下で、非ウィンドウ領域のスキャンライン及びデータチソンがまだ動作状態にあることに起因する電力消費の問題を解決し、ウィンドウディスプレイモードの下で、ウィンドウ領域と交差するスキャンライン及びデータラインのみを動作状態になるようにして、消費電力を低減させる効果に達成する。
【００７２】
本実施例では、さらに、ウィンドウ領域のサイズと同様のディスプレイ内容だけを生成することにより、画面全体のディスプレイ内容を生成する必要がないので、計算量を効果的に低減させ、従って、電力消費を減少させる効果に達成する。
【００７３】
図６Ａ〜図６Ｃは、一例示的な実施例に係るバックライト回路の構造を示す説明図である。図６Ａに示すように、当該バックライト回路は、行バックライト、行バックライトストリング、列バックライト、及び列バックライトストリングを備える。
【００７４】
複数の行バックライトは、液晶ディスプレイスクリーンの行ボーダー（ｂｏｒｄｅｒ）領域に分布される。
【００７５】
複数の列バックライトは、液晶ディスプレイスクリーンの列ボーダー（ｂｏｒｄｅｒ）領域に分布される。
【００７６】
液晶ディスプレイスクリーンの行ボーダー領域に配置される複数の行バックラットには、少なくとも２つの行バックライトが直列接続を介して行バックライトストリングを形成する。
【００７７】
液晶ディスプレイスクリーンの列ボーダー領域に配置される複数の列バックライトには、少なくとも２つの列バックライトが直列接続を介して列バックライトストリングを形成する。
【００７８】
図６Ａに示された実施例では、行方向には１２個の行バックライト、即ち、行方向の上ボーダーに位置する行バックライト１１乃至行バックライト１６、及び行方向の下ボーダーに位置する行バックライト２１乃至２６を含む。行方向の隣接する２つの行バックライトが直列接続して１つの行バックライトストリングを形成する。即ち、行方向の上ボーダーに位置する行バックライト１１及び行バックライト１２、行バックライト１３及び行バックライト１４、行バックライト１５及び行バックライト１６がそれぞれ直列接続されて行バックライトストリングを形成し、行方向の下ボーダーに位置する行バックライト２１及び行バックライト２２、行バックライト２３及び行バックライト２４、行バックライト２５及び行バックライト２６がそれぞれ直列接続されて行バックライトストリングを形成し、合計６つの行バックライトストリングが液晶ディスプレイスクリーンの行ボーダー領域に均一に分布される。
【００７９】
列方向には２４個の列バックライト、即ち、列方向の左ボーダーに位置する列バックライト３１乃至列バックライト４２、及び列方向の右側ボーダーに位置する列バックライト５１乃至列バックライト６２を含む。列方向の隣接する３つのバックライトが直列接続して１つの列バックライトストリングを形成する。即ち、列方向の左ボーダーの列バックライト３１乃至列バックライト３３、列バックライト３４乃至列バックライト３６、列バックライト３７乃至列バックライト３９、列バックライト４０乃至列バックライト４２が直列接続されて列バックライトストリングを形成し、合計８つの列バックライトストリングが液晶ディスプレイスクリーンの列ボーダー領域に均一に分布される。
【００８０】
図６Ｂに示された実施例では、第２の条件に合致する少なくとも２つの行バックライトが直列接続を介して行バックライトストリングを形成する。ここで、第２の条件は、少なくとも２つの行バックライトの列方向での照明位置がウィンドウ領域とも交差したり、又はウィンドウ領域とも交差されないことである。
【００８１】
２つの行バックライトの列方向での照明位置がウィンドウ領域と交差される場合を例に挙げる。ウィンドウ領域１０が液晶ディスプレイスクリーンの行方向上ボーダーの行バックライト１１乃至行バックライト１６の列方向に上から下への照明位置と交差すると、行バックライト１１乃至行バックライト１６が直列接続されて行バックライトストリングを形成する。
【００８２】
ウィンドウ領域１０が液晶ディスプレイスクリーンの行方向の下ボーダーの行バックライト２１乃至行バックライト２６の列方向に下から上への照明位置と交差しなと、行バックライト２１乃至行バックライト２６が直列接続されて１つの行バックライトストリングを形成する。
【００８３】
図６Ｃに示された実施例では、第３の条件に合致する少なくとも２つの列バックライトが直列接続を介して列バックライトストリングを形成する。ここで、第３の条件は、少なくとも２つの列バックライトの行方向での照明位置がウィンドウ領域と交差したり、又はウィンドウ領域と交差されないことである。
【００８４】
３つの列バックライトの行方向での照明位置がウィンドウ領域と交差される場合を例に挙げる。ウィンドウ領域１０が液晶ディスプレイスクリーンの列方向左側ボーダーの列バックライト３１乃至列バックライト３３の行方向に左から右への照明位置と交差すると、列バックライト３１乃至列バックライト３３が直列接続を介して列バックライトストリングを形成し、照明位置がウィンドウ領域１０と交差しない列バックライト３４乃至列バックライト４２が直列接続を介して列バックライトストリングを形成する。
【００８５】
ウィンドウ領域１０が液晶ディスプレイスクリーンの列方向右側ボーダーに位置する列バックライト５１乃至列バックライト５３の行方向に右から左への照明位置と交差され、列バックライト５１乃至列バックライト５３が直列接続を介して列バックライトストリングを形成し、照明位置がウィンドウ領域１０と交差しない列バックライト５４乃至列バックライト６２が直列接続を介して列バックライトストリングを形成する。
【００８６】
好ましくは、照明位置がウィンドウ領域と交差する行バックライトが直列接続して行バックライトストリングを形成し、ウィンドウ領域と交差しない行バックライトが直列接続して他の１つの行バックライトストリングを形成する。同時に、照明位置がウィンドウ領域と交差する列バックライトが直列接続して列バックライトストリングを形成し、ウィンドウ領域と交差しない列バックライトが直列接続して他の１つの列バックライトストリングを形成する。
【００８７】
好ましくは、照明位置がウィンドウ領域と交差する行バックライト、及び列バックライトのすべてが直列接続されて１つのバックライトストリングを形成し、照明位置がウィンドウ領域と交差しない行バックライト、及び列バックライトのすべても直列接続されて１つのバックライトストリングを形成する。
【００８８】
なお、本実施例は、行バックライト及び列バックライトの大きさ、配列の量、配列密度に対して限定しない。異なる技術者が、検出精度の需要に応じて自分で設定することができる。
【００８９】
図７は、一例示的な実施例に係る端末の構造を示す説明図である。当該端末は、バックライト回路７１０、行バックライト７２０、行バックライトストリング７３０、列バックライト７４０、及び列バックライトストリング７５０を備える。
【００９０】
前記バックライト回路は、図６Ａ〜図６Ｃのいずれかの一方に示される別途のバックライト及びバックライトストリングに接続する。
【００９１】
図８は、一例示的な実施例に係るディスプレイ方法を示すフローチャートである。本実施例では、当該ディスプレイ方法が図７に示されるバックライト回路を備える端末に適用される場合を例に挙げて説明する。前記方法は、
ステップ８０１：ウィンドウディスプレイモードの下で、照明位置がウィンドウ領域と交差するバックライトを発光するように制御する。
【００９２】
ウィンドウディスプレイモードの下で、バックライト回路は、ウィンドウ領域と交差する行バックライトストリング及び列バックライトストリングをそれぞれ制御して発光させる。ウィンドウ領域は、液晶ディスプレイスクリーン中の目標内容をディスプレイする必要がある一部の領域であり、ウィンドウ領域は、液晶ディスプレイスクリーンの全体ディスプレイ領域よりも小さく、ウィンドウ領域は通常矩形状である。目標内容は、システム時間、メッセージ通知などであってもよい。
【００９３】
ステップ８０２：照明位置がウィンドウ領域と交差しないバックライトをオフ状態になるように制御する。
【００９４】
ここで、バックライトは、別途のバックライト、及び/又は、行バックライトストリング中のバックライト、及び/又は、列バックライトストリングの中のバックライトである。
【００９５】
ウィンドウ領域と交差しない行バックライトストリング及び列バックライトストリングは、すべて動作する必要がないため、バックライト回路は、ウィンドウ領域と交差しない行バックライトストリング及び列バックライトストリングをそれぞれオフ状態にする。
【００９６】
上述を纏めると、本実施例が提供するディスプレイ方法は、ウィンドウディスプレイモードの下で、照明位置がウィンドウ領域と交差するバックライトを発光するように制御し、照明位置がウィンドウ領域と交差しないバックライトをオフ状態になるように制御して、ウィンドウディスプレイモードの下で、非ウィンドウ領域のバックライトがまだ動作状態にあることに起因する電力消耗の問題を解決し、ウィンドウディスプレイモードの下で、ウィンドウ領域と交差するバックライトのみを発光状態になるようにすることで、消費電力を低減させる効果に達成する。
【００９７】
図９は、本発明の一例示的な実施例に係るディスプレイ方法を示すフローチャートである。本実施例では、当該ディスプレイ方法が図７に示されるバックライト回路を備える端末に適用した場合を例に挙げて説明する。前記方法は、
ステップ９０１：ウィンドウディスプレイモードの下で、ウィンドウ領域の位置情報を取得する。
【００９８】
ウィンドウ領域は、液晶ディスプレイスクリーン中の目標内容をディスプレイする必要がある一部の領域であり、ウィンドウ領域は、液晶ディスプレイスクリーンの全体ディスプレイ領域よりも小さく、ウィンドウ領域は通常矩形状である。目標内容は、システム時間、メッセージ通知などであってもよい。
【００９９】
ステップ９０２：各バックライトの位置情報を取得する。
【０１００】
バックライト回路を介して、それぞれの行バックライト及び列バックライトの位置情報を取得して、ウィンドウ領域と交差する行バックライト及び列バックライトを発光するように制御することができる。
【０１０１】
ステップ９０３：ウィンドウ領域の位置情報、及びそれぞれのバックライトの位置情報によって、ウィンドウ領域と交差するバックライトを発光するように制御する。
【０１０２】
ウィンドウ領域の位置情報、及びそれぞれのバックライトの位置情報によって、ウィンドウ領域と交差するバックライトの位置に対応するバックライトを発光させる。
【０１０３】
ステップ９０４：照明位置がウィンドウ領域と交差しないバックライトをオフ状態になるように制御する。
【０１０４】
ここで、バックライトは、別途のバックライト、及び/又は、行バックライトストリング中のバックライト、及び/又は、列バックライトストリング中のバックライトである。
【０１０５】
ウィンドウ領域と交差しない行バックライトストリング及び列バックライトストリングは、すべて動作する必要がないため、バックライト回路は、ウィンドウ領域と交差しない行バックライトストリング及び列バックライトストリングをそれぞれオフ状態になるようにする。
【０１０６】
上述を纏めると、本実施例が提供するディスプレイ方法は、ウィンドウディスプレイモードの下で、ウィンドウ領域の位置情報を取得し、それぞれのバックライトの位置情報を取得し、ウィンドウ領域の位置情報、及びそれぞれのバックライトの位置情報によって、ウィンドウ領域と交差するバックライトを発光するように制御して、ウィンドウディスプレイモードの下で、非ウィンドウ領域のバックライトがまだ動作状態にあることに起因する電力消耗の問題を解決し、ウィンドウディスプレイモードの下で、ウィンドウ領域と交差するバックライトのみを発光状態になるようにすることで、消費電力を低減させる効果に達成する。
【０１０７】
なお、本発明の例示的な実施例に係るディスプレイ方法は、図３に示される液晶駆動回路を備える端末に適用され、又は図７に示されるバックライト回路を備える端末に適用され、又は同時に図３に示される液晶駆動回路及び図７に示されるバックライト回路を備える端末に適用される。
【０１０８】
以下、本発明の装置の実施例であり、本発明の方法の実施例を実行するために用いられる。本発明の装置の実施例で開示しなかった詳細な内容は、本発明の方法の実施例を参照すればよい。
【０１０９】
図１０は、一例示的な実施例に係るディスプレイ装置を示すブロック図である。図１０に示すように、当該ディスプレイ装置が、図３に示される液晶駆動回路を備える端末に適用される場合を例に挙げて説明する。前記ディスプレイ装置は、
ウィンドウディスプレイモードの下で、スキャン駆動チップを介して、ウィンドウ領域と交差するスキャンラインにスキャン電圧を伝送するように構成されるスキャンモジュール１００２と、
ウィンドウ領域と交差しないデータラインに対応するデータラインスイッチをオフ状態に設定するように構成される設定モジュール１００４と、
データ駆動チップを介して、ウィンドウ領域と交差するデータラインに階調電圧を伝送するように構成される伝送モジュール１００６と、を備えてもよい。
【０１１０】
上述を纏めると、本実施例が提供するディスプレイ装置は、ウィンドウディスプレイモードの下で、スキャン駆動チップを介して、ウィンドウ領域と交差するスキャンラインにスキャン電圧を伝送し、ウィンドウ領域と交差しないデータラインに対応するデータラインスイッチをオフ状態に設定し、データ駆動チップを介して、ウィンドウ領域と交差するデータラインに階調電圧を伝送して、ウィンドウディスプレイモードの下で、非ウィンドウ領域のスキャンライン及びデータラインがまだ動作状態にあることに起因する電力消耗の問題を解決し、ウィンドウディスプレイモードの下で、ウィンドウ領域と交差するスキャンライン及びデータラインのみを動作状態になるようにして、消費電力を低減させる効果に達成する。
【０１１１】
図１１は、一例示的な実施例に係るディスプレイ装置を示すブロック図である。図１１に示すように、当該ディスプレイ装置が図３に示される液晶駆動回路を備える端末に適用される場合を例に挙げて説明する。前記ディスプレイ装置は、
ウィンドウディスプレイモードの下で、ウィンドウ領域のサイズに対応するディスプレイ内容を生成するように構成されるウィンドウモジュール１１０１と、
スキャン駆動チップを介して、ウィンドウ領域と交差するスキャンラインにスキャン電圧を伝送するように構成されるスキャンモジュール１１０２と、を備えてもよい。
【０１１２】
ウィンドウディスプレイモードの下で、ＤＤＩＤはウィンドウ領域の位置を読み取り、ウィンドウ領域の位置によって、ウィンドウ領域と交差するスキャンラインを検出し、スキャン駆動チップを介して、ウィンドウ領域と交差するスキャンラインにスキャン電圧を伝送する。
【０１１３】
好ましくは、ＤＤＩＣはスキャン駆動チップを介して、スキャン電圧の出力開始位置及び出力回数を制御する。
【０１１４】
ここで、出力開始位置は、上から下への順序でウィンドウ領域と交差する第１のスキャンラインに対応するスキャンピンであり、出力回数は、ウィンドウ領域と交差するスキャンラインの本数と同じである。
【０１１５】
設定モジュール１１０３は、ウィンドウ領域と交差しないデータラインに対応するデータラインスイッチをオフ状態に設定するように構成される。
【０１１６】
伝送モジュール１１０４は、データ駆動チップを介して、ウィンドウ領域と交差するデータラインに階調電圧を伝送するように構成される。
【０１１７】
１つのスキャンラインがスキャンされる状態にあれば、当該行のスキャンラインに対応する１行の液晶ユニットに対して、ＤＤＩＣは同時にディスプレイ待機中の内容によって、それぞれのデータラインに対応する階調電圧を生成するとともに、データ駆動チップを介して、ウィンドウ領域と交差するデータラインに階調電圧を伝送して、１フレームのディスプレイ内容がディスプレイされるようにする。
【０１１８】
上述を纏めると、本実施例が提供するディスプレイ装置は、ウィンドウディスプレイモードの下で、スキャン駆動チップを介して、ウィンドウ領域と交差するスキャンラインにスキャン電圧を伝送し、ウィンドウ領域と交差しないデータラインに対応するデータラインスイッチをオフ状態に設定し、データ駆動チップを介して、ウィンドウ領域と交差するデータラインに階調電圧を伝送して、ウィンドウディスプレイモードの下で、非ウィンドウ領域のスキャンライン及びデータチソンがまだ動作状態にあることに起因する電力消費の問題を解決し、ウィンドウディスプレイモードの下で、ウィンドウ領域と交差するスキャンライン及びデータラインのみを動作状態になるようにして、消費電力を低減させる効果に達成する。
【０１１９】
図１２は、一例示的な実施例に係るディスプレイ装置を示すブロック図である。本実施例では、当該ディスプレイ装置が図７に示されるバックライト回路を備える端末に適用される場合を例に挙げて説明する。前記装置は、
ウィンドウディスプレイモードの下で、照明位置がウィンドウ領域と交差する前記バックライトを発光するように制御する第１の制御モジュール１２０２と、
照明位置がウィンドウ領域と交差しないバックライトをオフ状態になるように制御する第２の制御モジュール１２０４と、を備える。
【０１２０】
ここで、バックライトは、別途のバックライト、及び/又は、行バックライトストリング中のバックライト、及び/又は、列バックライトストリングの中のバックライトである。
【０１２１】
上述を纏めると、本実施例を提供するディスプレイ装置は、ウィンドウディスプレイモードの下で、照明位置がウィンドウ領域と交差するバックライトを発光するように制御し、照明位置がウィンドウ領域と交差しないバックライトをオフ状態になるように制御して、ウィンドウディスプレイモードの下で、非ウィンドウ領域のバックライトがまだ動作状態にあることに起因する電力消耗の問題を解決し、ウィンドウディスプレイモードの下で、ウィンドウ領域と交差するバックライトのみを発光状態になるようにすることで、消費電力を低減させる効果に達成する。
【０１２２】
図１３は、一例示的な実施例に係るディスプレイ装置を示すブロック図である。本実施例では、当該ディスプレイ装置が図７に示されるバックライト回路を備える端末に適用される場合を例に挙げて説明する。当該装置は、
ウィンドウディスプレイモードの下で、照明位置がウィンドウ領域と交差するバックライトを発光するように制御する第１の制御モジュール１２０２を備える。
【０１２３】
本実施例では、第１の制御モジュール１２０２は、
ウィンドウ領域の位置情報を取得するように構成される第１の取得サブモジュール１２０２ａと、
それぞれのバックライトの位置情報を取得するように構成される第２の取得サブモジュール１２０２ｂと、
ウィンドウ領域の位置情報、及びそれぞれのバックライトの位置情報によって、ウィンドウ領域と交差するバックライトを発光するように制御する発光制御サブモジュール１２０２ｃと、を備えてもよい。
【０１２４】
第２の制御モジュール１２０４は、照明位置がウィンドウ領域と交差しないバックライトをオフ状態になるように構成される。
【０１２５】
ここで、バックライトは、別途のバックライト、及び/又は、前記行バックライトストリング中のバックライト、及び/又は、列バックライトストリングの中のバックライトである。
【０１２６】
上述を纏めると、本実施例を提供するディスプレイ装置は、ウィンドウディスプレイモードの下で、ウィンドウ領域の位置情報を取得し、それぞれのバックライトの位置情報を取得し、ウィンドウ領域の位置情報、及びそれぞれのバックライトの位置情報によって、ウィンドウ領域と交差するバックライトを発光するように制御して、ウィンドウディスプレイモードの下で、非ウィンドウ領域のバックライトがまだ動作状態にあることに起因する電力消耗の問題を解決し、ウィンドウディスプレイモードの下で、ウィンドウ領域と交差するバックライトのみを発光状態になるようにすることで、消費電力を低減させる効果に達成する。
【０１２７】
なお、本発明の例示的な実施例に係るディスプレイ装置は、図３に示される液晶駆動回路を備える端末に適用され、又は図７に示されるバックライト回路を備える端末に適用され、又は同時に図３に示される液晶駆動回路及び図７に示されるバックライト回路を備える端末に適用される。
【０１２８】
当業者は、明細書を考慮してこの発明を実践した後、本発明の他の実施例を容易に想到し得る。本願は、本発明の任意変形、用途又は適応的な変化を含む。これらの変形、用途又は適当的な変化は、本発明の一般的な原理に従うものであり、本発明に開示されていない当分野の公知常識又は慣用の技術的手段を含む。明細書及び実施例は、例示的なものに過ぎない。本発明の本当の範囲及び精神は特許請求の範囲に基づく。
【０１２９】
なお、本発明は、上述の説明及び図面に示された精確な構造に限らず、その範囲から逸脱しない範囲で各種の補正及び変化を実施することができる。本発明の範囲は、特許請求の範囲のみに限定される。
【図１】
2017530427.tif 000003
【図２Ａ】
2017530427.tif 000004
【図２Ｂ】
2017530427.tif 000005
【図３】
2017530427.tif 000006
【図４】
2017530427.tif 000007
【図５】
2017530427.tif 000008
【図６Ａ】
2017530427.tif 000009
【図６Ｂ】
2017530427.tif 000010
【図６Ｃ】
2017530427.tif 000011
【図７】
2017530427.tif 000012
【図８】
2017530427.tif 000013
【図９】
2017530427.tif 000014
【図１０】
2017530427.tif 000015
【図１１】
2017530427.tif 000016
【図１２】
2017530427.tif 000017
【図１３】
2017530427.tif 000018
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
スキャン駆動チップ、行に沿って分布するｍ個のスキャンライン、データ駆動チップ、列に沿って分布するｎ個のデータライン、行及び列に沿って分布するｍ＊ ｎ個の液晶ユニット、及び少なくとも１つのデータラインスイッチを備える液晶駆動回路において、
前記スキャン駆動チップは、前記スキャンラインに一対一対応して接続するｍ個のスキャンピンを備え、
それぞれの前記スキャンラインは、対応する行の前記液晶ユニットのゲート電極に接続し、
前記データ駆動チップは、前記データラインに一対一対応して接続するｎ個のデータピンを備え、
それぞれの前記データラインは、対応する列の前記液晶ユニットのドレイン電極に接続し、
少なくとも１つの前記データライン、及び対応する前記データピンの間に、前記データラインスイッチが設置されることを特徴とする液晶駆動回路。
【請求項２】
前記データラインスイッチはｎ個であり、それぞれの前記データライン、及び対応する前記データピンの間のすべてに前記データラインスイッチが設置されることを特徴とする請求項１に記載の液晶駆動回路。
【請求項３】
第１の条件に合致する前記データライン、及び対応する前記データピンの間に前記データラインスイッチが設置され、
前記第１の条件は、前記データラインの所在の列がウィンドウ領域と交差しないことである、ことを特徴とする請求項１に記載の液晶駆動回路。
【請求項４】
液晶ディスプレイスクリーンの行ボーダー（ｂｏｒｄｅｒ）領域に分布する複数の行バックライト、及び前記液晶ディスプレイスクリーンの列ボーダー（ｂｏｒｄｅｒ）領域に分布する複数の列バックライトを備えるバックライト回路において、
少なくとも２つの前記行バックライトが直列接続を介して行バックライトストリング（ｓｔｒｉｎｇ）を形成し、
及び/又は、
少なくとも２つの列バックライトが直列接続を介して列バックライトストリング（ｓｔｒｉｎｇ）を形成することを特徴とするバックライト回路。
【請求項５】
第２の条件に合致する少なくとも２つの前記行バックライトが直列接続を介して行バックライトストリングを形成し、
前記第２の条件は、少なくとも２つの行バックライトの列方向での照明位置がウィンドウ領域とすべて交差され、又は前記ウィンドウ領域とすべて交差されないことを特徴とする請求項４に記載のバックライト回路。
【請求項６】
第３の条件に合致する少なくとも２つの列バックライトが直列接続を介して列バックライトストリングを形成し、
前記第３の条件は、少なくとも２つの列バックライトの行方向での照明位置がウィンドウ領域とすべて交差され、又は前記ウィンドウ領域とすべて交差されないことを特徴とする請求項４に記載のバックライト回路。
【請求項７】
第２の条件に合致する少なくとも２つの前記行バックライトが直列接続を介して行バッ
クライトストリングを形成し、
前記第２の条件は、少なくとも２つの行バックライトの列方向で上から下、又は下から上への照明位置がウィンドウ領域とすべて交差され、又は前記ウィンドウ領域とすべて交差されないことを特徴とする請求項４に記載のバックライト回路。
【請求項８】
ディスプレイ駆動ＩＣと、前記ディスプレイ駆動ＩＣに接続する請求項１乃至請求項３のいずれか１項に記載の液晶駆動回路を備え、
及び/又は
バックライトと、前記バックライトに接続する請求項４乃至請求項７のいずれか１項に記載のバックライト回路を備えることを特徴とする端末。
【請求項９】
請求項１乃至請求項３のいずれか１項に記載の液晶駆動回路を備える端末に適用されるディスプレイ方法において、
ウィンドウディスプレイモードの下で、前記スキャン駆動チップを介して、ウィンドウ領域と交差する前記スキャンラインにスキャン電圧を伝送するステップと、
前記ウィンドウ領域と交差しない前記データラインに対応する前記データラインスイッチをオフ状態に設定するステップと、
前記データ駆動チップを介して、前記ウィンドウ領域と交差する前記データラインに階調電圧を伝送するステップと、を含むことを特徴とするディスプレイ方法。
【請求項１０】
前記スキャン駆動チップを介して、ウィンドウ領域と交差する前記スキャンラインにスキャン電圧を伝送するステップは、
前記スキャン駆動チップを介して、前記スキャン電圧の出力開始位置及び出力回数を制御するステップを含み、
前記出力開始位置は、上から下への順序で前記ウィンドウ領域と交差する第１のスキャンラインに対応するスキャンピンであり、前記出力回数は、前記ウィンドウ領域と交差する前記スキャンラインの本数と同じであることを特徴とする請求項９に記載のディスプレイ方法。
【請求項１１】
前記データ駆動チップを介して、前記ウィンドウ領域と交差する前記データラインに階調電圧を伝送するステップは、
前記ウィンドウ領域のサイズに対応するディスプレイ内容を生成するステップと、
前記データ駆動チップを介して、前記ウィンドウ領域と交差するそれぞれの前記データラインに、前記ディスプレイ内容に対応する階調電圧を伝送するステップと、を含むことを特徴とする請求項９又は請求項１０に記載のディスプレイ方法。
【請求項１２】
請求項４乃至請求項７のいずれか１項に記載のバックライト回路を備える端末に適用されるディスプレイ方法において、
ウィンドウディスプレイモードの下で、照明位置がウィンドウ領域と交差する前記バックライトを発光するように制御するステップと、
照明位置が前記ウィンドウ領域と交差しない前記バックライトをオフ状態になるように制御するステップと、を含み、
前記バックライトは、別途のバックライト、及び/又は、前記行バックライトストリング中のバックライト、及び/又は、列バックライトストリング中のバックライトであることを特徴とするディスプレイ方法。
【請求項１３】
前記照明位置がウィンドウ領域と交差する前記バックライトを発光するように制御するステップは、
前記ウィンドウ領域の位置情報を取得するステップと、
それぞれの前記バックライトの位置情報を取得するステップと、
前記ウィンドウ領域の位置情報及びそれぞれの前記バックライトの位置情報によって、前記ウィンドウ領域と交差する前記バックライトを発光するように制御するステップと、を含むことを特徴とする請求項１２に記載のディスプレイ方法。
【請求項１４】
請求項１乃至請求項３のいずれか１項に記載の液晶駆動回路を備える端末に適用されるディスプレイ装置において、
ウィンドウディスプレイモードの下で、前記スキャン駆動チップを介して、ウィンドウ領域と交差する前記スキャンラインにスキャン電圧を伝送するように構成されるスキャンモジュールと、
前記ウィンドウ領域と交差しない前記データラインに対応する前記データラインスイッチをオフ状態に設定するように構成される設定モジュールと、
前記データ駆動チップを介して、前記ウィンドウ領域と交差する前記データラインに階調電圧を伝送するように構成される伝送モジュールと、を備えることを特徴とするディスプレイ装置。
【請求項１５】
前記スキャン駆動チップを介して、ウィンドウ領域と交差する前記スキャンラインにスキャン電圧を伝送することは、
前記スキャン駆動チップを介して、前記スキャン電圧の出力開始位置及び出力回数を制御するように構成される前記スキャンモジュールを備え、
前記出力開始位置は、上から下への順序で前記ウィンドウ領域と交差する第１のスキャンラインに対応するスキャンピンであり、前記出力回数は、前記ウィンドウ領域と交差する前記スキャンラインの本数と同じであることを特徴とする請求項１４に記載のディスプレイ装置。
【請求項１６】
前記データ駆動チップを介して、ウィンドウ領域と交差する前記データラインに階調電圧を伝送することは、
前記ウィンドウ領域のサイズに対応するディスプレイ内容を生成し、
前記データ駆動チップを介して、前記ウィンドウ領域と交差するそれぞれの前記データラインに、前記ディスプレイ内容に対応する階調電圧を伝送することを含むことを特徴とする請求項１４又は請求項１５に記載のディスプレイ装置。
【請求項１７】
請求項４乃至請求項７のいずれか１項に記載のバックライト回路を備える端末に適用されるディスプレイ装置において、
ウィンドウディスプレイモードの下で、照明位置がウィンドウ領域と交差する前記バックライトを発光するように制御する第１の制御モジュールと、
照明位置が前記ウィンドウ領域と交差しないバックライトをオフ状態になるように制御する第２の制御モジュールと、を備え、
前記バックライトは、別途のバックライト、及び/又は、前記行バックライトストリング中のバックライト、及び/又は、列バックライトストリング中のバックライトであることを特徴とするディスプレイ装置。
【請求項１８】
前記第１の制御モジュールは、
前記ウィンドウ領域の位置情報を取得するように構成される第１の取得サブモジュールと、
それぞれの前記バックライトの位置情報を取得するように構成される第２の取得サブモジュールと、
前記ウィンドウ領域の位置情報及びそれぞれの前記バックライトの位置情報によって、前記ウィンドウ領域と交差する前記バックライトを発光するように制御する発光制御サブモジュールと、を備えることを特徴とする請求項１７に記載のディスプレイ装置。 
【手続補正２】
【補正対象書類名】明細書
【補正対象項目名】００８０
【補正方法】変更
【補正の内容】
【００８０】
図６Ｂに示された実施例では、第２の条件に合致する少なくとも２つの行バックライトが直列接続を介して行バックライトストリングを形成する。ここで、第２の条件は、少なくとも２つの行バックライトの列方向で上から下へ、又は下から上への照明位置がウィンドウ領域とも交差したり、又はウィンドウ領域とも交差されないことである。 
【手続補正３】
【補正対象書類名】明細書
【補正対象項目名】００８１
【補正方法】変更
【補正の内容】
【００８１】
２つの行バックライトの列方向で上から下へ、又は下から上への照明位置がウィンドウ領域と交差される場合を例に挙げる。ウィンドウ領域１０が液晶ディスプレイスクリーンの行方向上ボーダーの行バックライト１１乃至行バックライト１６の列方向に上から下への照明位置と交差すると、行バックライト１１乃至行バックライト１６が直列接続されて行バックライトストリングを形成する。
【手続補正４】
【補正対象書類名】明細書
【補正対象項目名】００８２
【補正方法】変更
【補正の内容】
【００８２】
ウィンドウ領域１０が液晶ディスプレイスクリーンの行方向の下ボーダーの行バックライト２１乃至行バックライト２６の列方向に下から上への照明位置と交差しないと、行バックライト２１乃至行バックライト２６が直列接続されて１つの行バックライトストリングを形成する。
【国際調査報告】
2017530427.tif 000019
2017530427.tif 000020
2017530427.tif 000021
2017530427.tif 000022
2017530427.tif 000023
2017530427.tif 000024